(57)【要約】【課題】  電源部を内蔵した電気・電子装置において、前記電源部の残り電力が一定以下でも外部からの電力供給によって機能の連続出力が可能で、外部からの電力供給が商業電源以外であっても、又、電力供給を受ける接続端子同士が短絡したり、供給電力の電圧が高過ぎても問題が生じないことを目的とする。【解決手段】  電気・電子装置である音声データ記録装置１では、剥き出し状態の接続端子２１，２２が電源装置２９の特定の外部端子３１，３２に接続の位置を取るとジョイントスイッチ３３，３４がＯＮとなって電力供給用の回路が構成され、更に、音声データ記録装置１に供給される電力の電圧は電圧検出部２３で検出される構成とした。【選択図】  図１
2010154725.tif 000002
【特許請求の範囲】
【請求項１】
装置本体と、その装置本体に内蔵され、装置が機能を行うための電力を供給する電源部と、前記装置本体の外側面に付設され、前記電源部が前記装置本体の外部から電力の供給を受けるための一組の接続端子と、その一組の接続端子を介して前記電源部が前記装置本体の外部から電力の供給を受ける際にその電力の電圧を検出する電圧検出部と、その電圧検出部と前記電源部の間に介在され、前記電圧検出部が当該装置の機能に適正な電圧と判断した場合にのみ前記一組の接続端子から前記電源部への接続をＯＮにするスイッチ部と、が備えられ、
上記一組の接続端子に外部からの電力を供給するための特定の外部端子が接続された場合にのみ、外部の電力が前記外部端子から上記一組の接続端子に供給されるように構成したことを特徴とする電気・電子装置。
【請求項２】
上記一組の接続端子は装置本体の外側面からほぼ垂直方向に突出した状態で付設されて、且つ、上記外部からの電力を当該装置の側に供給する一組の外部端子は上記一組の接続端子をそれぞれ挟持する一対のローラを備えて構成されることを特徴とする請求項１に記載の電気・電子装置。
【請求項３】
上記一組の接続端子を介して上記外部からの電力を当該装置の側に供給する外部電源は、電源部が内蔵され、且つ、他の外部から電力が供給され得る構成であることを特徴とする請求項１又は２に記載の電気・電子装置。
【請求項４】
上記一組の接続端子を介して上記外部からの電力を当該装置の側に供給する外部電源は、他の外部から電力の供給を受けて当該装置の側に電力を供給し得、且つ、当該装置の側に電力を供給する際にその電圧を制御し得る構成であることを特徴とする請求項３に記載の電気・電子装置。
【発明の詳細な説明】
【技術分野】
【０００１】
この発明は、装置本体の内部に電源部が備えられ、その内部の電源部からの電力によって装置が機能する構成の電気・電子装置に関する。
特に、当該電気・電子装置を機能させている際に前記内部の電源部の電力の残量が減少し残量が一定以下になった際に、装置を機能させた状態でその内部電源に対して再充電を行うことが可能或いは電力の供給が可能であって、結果的に、機能を一時停止させることなく機能の連続状態を保持することについての改良に関する。
【背景技術】
【０００２】
電源が交換可能な電池であっても充電可能な二次電池であっても、電源が装置本体に内蔵されている場合には、その電源の電池の電力が一定以下になると当該電気・電子装置の機能が不十分になったり全く機能しなくなったりする。
斯かる場合には、新しい電池に交換したり、二次電池に充電を行うことによって、電源部の電力を補うことを行っている。
【０００３】
従って、電力を補うために新しい電池に交換したり二次電池に充電を行う場合には、電気・電子装置の機能を一時的に停止させる必要が生じる。
つまり、例えば当該電気・電子装置が音声ビデオカメラであって、野生動物の生態を連続的に映像と音声で記録している際に電源部の電力が一定以下になると、その対象野生動物の姿の連続的な録画や鳴き声の連続録音を中断せざる得ないということになる。
斯かる電力の供給による連続機能の一時中断に関しては、以下の文献が知られている。
【０００４】
【特許文献１】特開平０９−１８１７９９号公報
【特許文献２】特開２００６−２６９２９２号公報
【発明の開示】
【発明が解決しようとする課題】
【０００５】
特許文献１で開示されている発明は、電源内蔵機器である携帯電話において充電時のパルス充電電流が通話にパルスノイズを与えて音声品質を低下させる問題に対して為されたものである。
そして、斯かる問題を解決する手段として、通話中つまり機能の出力中には充電制御回路１３は装置制御部１７から通話中信号Ｓ３を得て、充電回路１４の動作を停止するという構成を開示している。
【０００６】
斯かる構成であれば、電気・電子装置が機能している際であっても音声品質の低下をさせることなく通話することが可能になっている。
しかし、斯かる発明構成の携帯電話と充電側である外部電源の組み合わせは、外部電源は商業電力で出力する専用の充電装置であることから、例えば商業電力の供給のない戸外では使用が不可能であり、又、専用の充電装置からのみ電力の供給が可能であるといった問題があった。
【０００７】
そこで、戸外などで商業電力が得られず、専用の充電装置から電力の供給を受けるのではなく、任意の電源から電力を受けることが可能な構成の電気・電子装置を想定することになる。
処が、外部から任意の電源から電力を受ける場合、その電力の電圧が不明な場合に、特に、所定の値に対して外部から供給する電力の電圧が遙かに高い場合には、その電気・電子装置を破損してしまうという虞がある。
【０００８】
他方、特許文献２で開示された発明は、携帯電話の電池パックを電力供給の中断なく交換できることを目的として、複数の電池にそれぞれ対応して接続する複数の端子部を、軸線と直行する方向にスライド可能な一の回転軸に取り付け、その回転軸に回転とスライドをさせることによって複数の電池が端子部に連続して接続する構成が開示されている。
【０００９】
斯かる構成では、電池パックＡの電力量が減少すると電池パックＢ、電池パックＣと切り換えて交換することによって、現在使用している電源電池の電力残量が少なくなった場合でも、電気・電子装置の連続機能に対応が可能になっている。
しかし、斯かる構成では、交換対象となる電池パックが一定の形状であって、当該電気・電子装置に対応していることが前提となっている。
【００１０】
又、斯かる構成では、回転軸に複数の端子部が付設され、且つ、スライド可能に枢支される構成は、装置の製造が煩雑であるという問題がある。
殊に、各端子部は電池パックと確実な接続状態を保持する必要があることから、部材の精密な加工・製作と正確な組み立てが求められ、問題はより一層深刻であった。
【００１１】
そこで、電気・電子装置を機能させることに伴って内部電源の電力が消費されて残量が少なくなった場合に、その対応としてその電気・電子装置が直接に電力の供給を受ける方法が考えられる。
斯かる電力供給の方法は、外部から電力の供給を受ける端子として、装置本体の外側面に電気接続用の端子を露出した状態で付設する構成が挙げられる。
【００１２】
電力を供給する側が専用の充電装置でないことからこのことに対応して、電気・電子装置の電力の供給を受ける接続用端子は特定の形状や大きさに強く制約されることはないという長所が生じる。
そこで、外部から電力の供給を最も受け易い接続端子として、電気・電子装置の装置本体から剥き出しで突出した形状のものが挙げられる。
【００１３】
しかしながら、接続端子が装置本体から剥き出しで突出している状態では、接続端子が共に同時に同一の金属に接触すると短絡が生じるという問題がある。
他方、装置本体に端子を設け、その端子を介して外部から電力の供給を受ける構成であれば、その端子に対して電気接続が可能な電力であれば、もし外部電源が電池であってもその電池の形状等によって電力の供給が可能か否かの問題が生じることはなく、汎用性の幅が広いという利点が得られる。
【００１４】
しかし、前記端子を介して電力を供給する外部電池等に汎用性が高いと、特許文献１で示されたケースとは異なっていて、専用の充電装置から電力を供給する訳ではないので、外部電池等から供給する電力の電圧がその電気・電子装置の内部電源に適正な電圧と異なる場合が生じる。
そして、供給する電力の電圧が許容できる上方限界を超えている場合には、電気・電子装置そのものが電力の供給を受けることによって破損が生じるという問題がある。
【００１５】
この発明は上記の事情に鑑みて為されたものであって、電源部が装置本体に内蔵されていて、その内蔵の電源部の電力が一定の値以下となって機能が所定通りに出力しなくなった際に商業電源以外の外部からの電力の供給であっても受けて機能の出力が続行可能であり、又、外部からの電力の供給を受けるための剥き出しの接続端子同士が共通の金属に接触しても回路として短絡が生じることがなく、更に、供給される電力の電圧が高過ぎて装置そのものが破損するということの生じない電気・電子装置を提供するものである。
尚、ここで言う商業電力とは、いわゆる電力会社から家庭に供給される電力そのもの、或いは、その供給される電力を元に変圧又は／及び整流されて得られる電気エネルギーを意味する。
【課題を解決するための手段】
【００１６】
この発明は、外部から電力の供給を受けるための一組の接続端子を装置本体の外側面に剥き出しの状態で設け、その一組の接続端子に合致した特定の外部端子から装置の機能に適正と設定した電圧の電力が供給されると当該装置に電力が供給されるように構成した電気・電子装置である。
その詳細な構成は、装置本体と、その装置本体に内蔵され、装置が機能を行うための電力を供給する電源部と、前記装置本体の外側面に付設され、前記電源部が前記装置本体の外部から電力の供給を受けるための一組の接続端子と、その一組の接続端子を介して前記電源部が前記装置本体の外部から電力の供給を受ける際にその電力の電圧を検出する電圧検出部と、その電圧検出部と前記電源部の間に介在され、前記電圧検出部が当該装置の機能に適正な電圧と判断した場合にのみ前記一組の接続端子から前記電源部への接続をＯＮにするスイッチ部と、が備えられ、上記一組の接続端子に外部からの電力を供給するための特定の外部端子が接続された場合にのみ、外部の電力が前記外部端子から上記一組の接続端子に供給されるように構成したことを特徴とする電気・電子装置である。
【００１７】
上記一組の接続端子は、具体的に、電導材料からなり、コの字形状であって且つ装置本体の外側面からほぼ垂直方向に突出した形状であり、且つ、上記外部の電力を供給するための外部端子は、具体的に、上記一組の接続端子をそれぞれ挟持する一対のローラを備えてなる構成が挙げられる。
又、上記外部の電力を上記一組の接続端子に供給する外部電源は、電源部が内蔵されると共に、他の外部から電力が供給され得る構成が挙げられる。
【００１８】
斯かる構成によって、外部電源は、内蔵の電源部と他の外部の電力を選択的に上記一組の接続端子に供給することが可能になっている。
更に、上記一組の接続端子に電力を供給するための外部電源は、他の外部から供給される電力の電圧を制御（変圧）して上記一組の接続端子に送り得る構成が挙げられる。
【００１９】
斯かる構成によって、他の外部から供給される電力の電圧を、電気・電子装置の機能に適正な電圧の電力に変換することが可能になっている。
尚、ここで言う「他の外部」とは、電気・電子装置本体にとっての外部に対する外部電源とは別の外部を意味している。
【発明の効果】
【００２０】
この発明は、接続端子は特定された外部端子のみから外部電力の供給を受け、且つ、その外部電力の電圧が予め設定された値である場合にのみに内蔵の電源に前記外部電力が供給される構成にしたことにより、商業電源と異なる外部からの電力であっても電力の供給を受けることが可能であって、外部から電力を受けるための接続端子同士で短絡が生じることがなく、又、内蔵の電源部が受け取り得る電力の電圧の範囲の外の場合にはその電力の供給を受けることがなく、従って、外部からの電力を受けることに問題が生じることがなく、結果的に、内蔵の電源部の電力が減少しても外部からの電力が供給されるので、機能の出力の連続が可能な電気・電子装置である。
【発明を実施するための最良の形態】
【００２１】
この発明を、図面と共に実施の最良の形態に基づいて説明を行う。しかし、この形態によって、この発明が限定されるものではない。
電気・電子装置である音声データ記録装置１は図１〜図３に示すように、装置本体を構成するケーシング２と、音声を音声信号に変換するマイクロフォン３，４と、音声信号を所定のレベルに増幅するアンプ５と、アナログ信号をデジタルデータに変換するＡ／Ｄ変換器６と、デジタル信号の処理を行うＤＳＰ（デジタルシグナルプロセッサ）７と、デジタルデータのバッファリングを行うバッファメモリ８と、装置の機能の制御を行う制御部９と、ユーザーが装置に対して操作を行う操作部１０と、現行機能状態等の表示を行う表示部１１と、デジタルデータをアナログ信号に変換するＤ／Ａ変換器１２と、音声信号を所望のレベルに増幅するアンプ１３及び音声信号を音声に変換して出力するスピーカ１４が備えられている。
【００２２】
１５及び１６は、外付けマイクロフォン（図示省略）等からの音声信号を入力する入力端子であり、１７は、アンプ１３からの音声信号を出力する出力端子であり、１８は、この装置のメイン電源スイッチである。
以上は、音声データを記録・再生する機能部１９の構成である。
音声データ記録装置１には、更に、装置を機能させるための電力を供給する内蔵タイプの電源部２０と、装置本体の外部から供給される電力を入力するための接続端子２１，２２が備えられている。
【００２３】
接続端子２１，２２は、金属材料（電導性材料）から片仮名の「コ」の字の形状に形成され、ケーシング２の外側面から垂直に突出した状態で付設されている。
尚、接続端子２１，２２は、片仮名の「コ」の字の形状とすることで、ユーザーが吊り下げ紐を係止することが可能になっている。
【００２４】
そして、接続端子２１，２２と電源部２０の間に、接続端子２１，２２を介して電源部２０が装置の外部から電力の供給を受ける際にその電力の電圧を検出する電圧検出部２３と、電圧検出部２３と電源部２０の間に介在されて、電圧検出部２３が適正な電圧と判断した場合にのみ接続端子２１，２２から電源部２０への接続をＯＮにするスイッチ部２4
が備えられている。
スイッチ部２４は具体的に、インバータ２５と３個のスイッチ（図示省略）を備えて構成され、外部から供給された電力の電圧が電圧検出部２３において装置の機能に適正であると判断された場合には外部からの電力が電源部２０の側に供給され、外部から供給された電力の電圧が電圧検出部２３において装置の機能に適正でないと判断された場合には外部からの電力が電源部２０の側に供給されないように機能するものである。
【００２５】
尚、２６は、ダイオードであって、外部からの電力の供給に対して、電流の逆流防止の機能を有するものである。
又、マイクロフォン３，４は、操作回転板２７の操作によって、マイクロフォン３，４を矢印Ａ方向に向きを可変する構成になっている。
【００２６】
更に、２８は、装置に着脱され、音声データを格納する記録媒体である。
２ａは、記録媒体２８を収納するための開口を閉塞する蓋体である。前記開口は、蓋体２ａを矢印Ｂ方向に回転することによって開の状態を取らせることが可能であって、ユーザーは記録媒体２８を交換することができる。
【００２７】
以下において、音声データ記録装置１に外部から電力の供給を行う外部電源である電源装置２９について説明する。
電源装置２９は、内蔵の電源部３０と、音声データ記録装置１の側に電力を供給するための一組の外部端子３１，３２と、音声データ記録装置１に電源装置２９が所定の方向で所定の距離だけ嵌合すると接続端子２１，２２にそれぞれ押圧されてＯＮとなるジョイントスイッチ３３，３４と、外部から供給される電力を受け取る接続端子３５，３６と、外部から受け取った電力の電圧を調節するための可変抵抗３７と、電流の逆流防止のためのダイオード３８，３９，４０が備えられて構成されている。
尚、この実施の最良の形態では、音声データ記録装置１の容積の最少化を図って、ジョイントスイッチ３３，３４を電源装置２９の側に配設されている。
【００２８】
上述したように、電源装置２９は、内蔵する電源部３０から音声データ記録装置１に電力を供給が可能であり、又、外部端子３１と接続端子２１及び外部端子３２と接続端子２２を介して外部から供給される電力によって音声データ記録装置１に電力を供給することが可能である。
尚、音声データ記録装置１は、ダイオード２６を取り除いた構成にすることによって、内蔵する電源部２０に電源装置２９から充電することも可能になっている。
【００２９】
ここで、音声データ記録装置１は、接続端子２１，２２に特定の外部端子が接続された場合にのみ、外部からの電力の供給を受けるように構成されている。
接続端子２１，２２は互いに一定の間隔を保ち、且つ、共にコの字形状であって、本体からほぼ同じ寸法だけ突出している。
【００３０】
他方、電源装置２９の外部端子３１，３２は共に軸線が平行で面一の状態で位置決めされた一対のローラと、音声データ記録装置１の接続端子２１，２２を前記一対のローラで挟持し、且つ、接続端子２１，２２が前記一対のローラに一定距離だけ嵌合して進むとＯＦＦからＯＮに切り替わるジョイントスイッチを備えて構成されている。
尚、４１は、電源装置２９のケーシング４２に開設され、音声データ記録装置１が挿通する窓部である。
【００３１】
電気的に外部端子３２であるローラは絶縁性保持板４３に正逆両方向（矢印Ｃ方向）に回転可能に枢支され、且つ、絶縁性保持板４３は弦巻バネ４４によってケーシング４２に対して矢印Ｄ方向に一定範囲内でスライドが可能に構成されている。
電気的に外部端子３１であるローラも、同様に保持されている。
従って、音声データ記録装置１は、大きなショックを受けることなく、電源装置２９に勘合・離脱させることが可能になっている。
【００３２】
電気・電子装置１は、上述したように構成されている。以下において、電気・電子装置１の使用について説明する。
ユーザーは、装置本体内の電源部２０の供給可能な電力量を確認し、蓋体２ａを操作して使用すべき記録媒体２８を装置本体内の所定箇所に配置して音声データを記録可能な回路に整える。
【００３３】
次に、ユーザーは操作部１０を操作して所望の音声データの記録に必要な設定を行い、音声データの記録を行う対象音源に対して操作回転板２７を操作してマイクロフォン３，４の向きを調整し、続いて、音声データの記録を開始するように操作部１０を操作する。
電気・電子装置である音声データ記録装置１は、制御部９からの制御に従い、マイクロフォン３，４がピックアップした音声を電気信号に変換し、アンプ５に送る。
【００３４】
アンプ５は、マイクロフォン３，４からの音声に係る電気信号を予め設定したレベルまで増幅し、Ａ／Ｄ変換器６に送る。
Ａ／Ｄ変換器６は、アンプ５からの音声に係る電気信号（音声信号）をデジタルデータに変換し、ＤＳＰ７を介してバッファメモリ８でバッファリングをさせながら記録媒体２８に前記音声に係るデジタルデータを記録する。
以上、音声データ記録装置１が斯かる音声データの記録を行っている際、電源部２０から電力が供給され、その供給分、電源部２０の電力は減少を続ける。
【００３５】
記録媒体２８に所望する音声に係る音声データが記録媒体２８に記録されると、その記録された音声データは、再生が可能な状態となる。
ここで、ユーザーは表示部１１で内容を確認しながら、再生したい音声データを特定して再生を実行する。
【００３６】
制御部９は、ユーザーの操作部１０からの操作内容に従って、バッファメモリ８にバッファリングをさせながらＤＳＰ７に記録媒体２８から対応する音声に係るデジタルデータを再生させ、Ｄ／Ａ変換器１２に送る。
Ｄ／Ａ変換器１２は、音声に係るデジタルデータを音声に係るアナログの電気信号に変換し、アンプ１３に送る。
【００３７】
アンプ１３は、入力された音声に係るアナログの電気信号を所望のレベルに増幅し、スピーカ１４に出力する。
スピーカ１４は、入力された増幅後の電気信号を音声に変換して出力する。
【００３８】
以上、音声データ記録装置１が上述した音声データの再生を行っている際、電源部２０から電力が供給され、その供給分、電源部２０の電力は減少を続ける。
従って、電源部２０の電力量はいずれ、音声データ記録装置１の機能に支障が来すほどに低下することになる。
【００３９】
電源部２０の電力量が、音声データ記録装置１の機能に支障が来すほどに低下し始め、且つ、音声データの記録の中断を回避させたい場合には、音声データ記録装置１に外部から電力を供給することになる。
つまり、具体的には、装置本体のケーシング２から突出している接続端子２１，２２に対してそれぞれローラである外部端子３１，３２で挟持するように、音声データ記録装置１を電源装置２９に勘合する。
【００４０】
ここで、音声データ記録装置１と電源装置２９が互いに嵌合して所定の位置を取ると接続端子２１，２２にそれぞれ押圧されてジョイントスイッチ３３，３４が共にＯＮとなって、音声データ記録装置１の側と電源装置２９の側が導通した状態となる。
ここで、電源装置２９の電源部３０から音声データ記録装置１に電力が供給される。
【００４１】
電源装置２９の電源部３０から音声データ記録装置１に電力が供給されると、電圧検出部２３は供給される電力の電圧を検出し、その検出結果をスイッチ部２４に送る。
スイッチ部２４のインバータ２５は、電源装置２９からの電力の電圧が適正である場合には音声データ記録装置１の機能部１９に電力を供給し、且つ、電源装置２９からの電力の電圧が適正でない場合には音声データ記録装置１の機能部１９に電力を供給しないように選択的な切り換えを行う。
【００４２】
従って、電源装置２９が供給する電力の電圧が装置の機能に適正であれば、音声データ記録装置１は機能を維持させることが可能である。
この時、電源装置２９は商業電力から電力を受けてはいないから、商業電力の供給エリアに影響されることなく、任意の場所で音声データ記録装置１に電力を供給することが可能になっている。
【００４３】
更に、電源装置２９は、電源部３０の電力が減少した際に、接続端子３５，３６に供給された電力を音声データ記録装置１に供給することが可能になっている。
接続端子３５，３６は、ケーシング４２に対して突出状態で配設されていて特定の形状でなければ接続可能とはなっていないので、単に導線を接続することによって電力の供給が可能になっている。
【００４４】
ここで、電源装置２９の接続端子３５，３６に電力が供給されると、外部端子３１，３２及び接続端子２１，２２を介して、音声データ記録装置１に電力が供給される。
この時、電源装置２９の接続端子３５，３６に供給される電力が電圧検出部２３で装置の機能に適正でないと判断された場合には、ユーザーは可変抵抗３７を操作して適正な電圧の電力を得ることが可能になっている。
【００４５】
つまり、音声データ記録装置１の電源部２０の電力が機能に対して不足になった場合には、例えば、自動車のバッテリー（図示省略）から電力を電源装置２９の接続端子３５，３６に引き込み、可変抵抗３７を調整することによって、音声データ記録装置１の機能の継続、つまり、連続機能を得ることが可能になる。
他方、音声データ記録装置１が電源装置２９から直接に電力の供給を受ける、或いは、電源装置２９を介して外部から電力の供給を受ける場合においても、接続端子２１，２２と外部端子３１，３２が特定の関係で接続する場合にのみジョイントスイッチ３３，３４が共にＯＮとなって電力の供給が可能になるので、接続端子２１，２２がケーシング２に対して剥き出しの状態であっても短絡等の問題が生じることはない。
【００４６】
尚、ここで言う「特定の関係で接続する」とは、具体的には、接続端子２１，２２と外部端子３１，３２が相対的に、配設位置が特定の関係にあること、形状が特定の関係にあって係合し合うこと、音声データ記録装置１と電源装置２９が一体化する際に、接続のために特定の力を受けることを意味する。
従って、音声データ記録装置１と電源装置２９の一体化の保持は、電源装置２９のローラが外部端子３１，３２となって音声データ記録装置１の接続端子２１，２２を挟持することによって行われているが、接続端子２１，２２と外部端子３１，３２が特定の関係で接続するのであれば、音声データ記録装置１と電源装置２９のいずれか一方に凹部を配設し且つ他方に凸部を配設する構成であってもよい。
【００４７】
上述した音声データ記録装置１と電源装置２９では、音声データ記録装置１に対して電源装置２９に所定の位置を取らせた際にＯＮとなるジョイントスイッチ３３，３４を電源装置２９の側に配設しているのは、既述したように、音声データ記録装置１の全体容積の最少化を図るためである。
しかし、ジョイントスイッチ３３，３４を音声データ記録装置１の側に配設し、音声データ記録装置１に対して電源装置２９に所定の位置を取らせた際にジョイントスイッチ３３，３４がＯＮとなる構成であってもよい。
【００４８】
斯かる構成の場合、接続端子２１，２２と電圧検出部２３の間に電流の逆流防止用のダイオードを介在させることによって、例えば接続端子２１と接続端子２２が共通する金属棒に接触するなどして、接続端子２１と接続端子２２が導通状態になるという事態が生じても、音声データ記録装置１の回路全体にとって短絡、漏電といった問題が生じることはない。
又、電源装置２９の側に配設されているジョイントスイッチ３３，３４はそれぞれ、接続端子２１，２２に押圧されてＯＮとなる構成であるが、接続端子２１，２２ではなく、別個に設けた凸状部などであってもよい。
【００４９】
この発明の電気・電子装置は実施の最良の形態では音声データ記録装置１であるが、他に、データ測定記録装置、映像記録・再生装置、独立電源式の健康診断装置等が挙げられる。
音声データ記録装置１の電圧検出部２３は単に電圧を検出するだけではなく、検出した値（電圧の値）を表示する構成であってもよい。検出した値を表示することによって、ユーザーは可変抵抗３７の調節操作（変圧の操作）を簡便に済ますことが可能になる。
【００５０】
電源装置２９は、接続端子３５，３６を介して外部から供給される電力は、その儘又は可変抵抗３７で変圧されて音声データ記録装置１に供給される構成になっている。
しかし、ダイオード３９を取り除くことによって、電源部３０の充電を行うことも可能である。
【図面の簡単な説明】
【００５１】
【図１】この発明の実施をするためのの最良の形態であって、記録媒体が装着され且つ電源装置が接続されている状態の構成を説明するブロック図である。
【図２】図１に示す実施の最良の形態の一部切り欠きを含む全体斜視図である。
【図３】図１に示す音声データ記録装置と電源装置の嵌合接続状態を示す要部構成説明図である。
【符号の説明】
【００５２】
１          ：  音声データ記録装置（電気・電子装置）
２          ：  ケーシング
３，４      ：  マイクロフォン
５，１３    ：  アンプ
６          ：  Ａ／Ｄ変換器
７          ：  ＤＳＰ
８          ：  バッファメモ
９          ：  制御部
１０        ：  操作部
１１        ：  表示部
１２        ：  Ｄ／Ａ変換器
１４        ：  スピーカ
２０        ：  電源部
２１，２２  ：  接続端子
２３        ：  電圧検出部
２４        ：  スイッチ部
２５        ：  インバータ
２８        ：  記録媒体
２９        ：  電源装置（外部電源）
３０        ：  電源部
３１，３２  ：  外部端子（ローラ）
３３，３４  ：  ジョイントスイッチ
３５，３６  ：  接続端子
３７        ：  可変抵抗
４３        ：  絶縁保持板
４４        ；  弦巻バネ
【図１】
2010154725.tif 000003
【図２】
2010154725.tif 000004
【図３】
2010154725.tif 000005